(57)【要約】      （修正有）【課題】回転管が管本体に対して回転する構造により、効果的に適切な位置に調整して冷媒管路に接続することができる冷媒管継手を提供する。【解決手段】冷媒管継手は、管本体１及び回転管を含む。管本体１は、連通する内部通路及び第１継手を含み、第１継手が冷媒計の管路に連通する。回転管は、第１回転軸を軸として管本体１に回転可能に接続され、連通する第２継手２４及び連通口２２を含み、連通口２２が管本体１の内部空間に連通し、第２継手２４が冷媒を通過させるように冷媒管路に連通する。冷媒管継手は、管本体１に取り外し可能に組み立てられる接続シート３をさらに含み、回転管の連通口２２が設けられた一端は、内部空間に連通するように、第１回転軸に沿って接続シート３を回転可能に穿設する。【選択図】図８
0003229467.tif 000002
【実用新案登録請求の範囲】
【請求項１】
冷媒管継手であって、
連通する内部通路及び第１継手を含み、前記第１継手が冷媒計の管路に連通する管本体と、
第１回転軸を軸として前記管本体に回転可能に接続され、連通する第２継手及び連通口を含み、前記連通口が前記管本体の内部空間に連通し、前記第２継手が冷媒を通過させるように冷媒管路に連通する回転管と、を含む冷媒管継手。
【請求項２】
バルブアセンブリをさらに含み、前記バルブアセンブリは、ボールバルブ本体及び開閉アセンブリを含み、前記ボールバルブ本体には、バルブ通路が貫設され、前記ボールバルブ本体は、第２回転軸を軸として前記内部通路に回転可能に位置決めし、前記開閉アセンブリは、前記ボールバルブ本体に接続され、それが連通位置と遮断位置とに回転するように制御され、前記ボールバルブ本体が前記連通位置に位置するとき、前記バルブ通路は、前記冷媒管路を前記冷媒計の管路に連通させるように前記内部空間に連通し、前記ボールバルブ本体が前記遮断位置に位置するとき、前記バルブ通路は、前記内部空間に連通せず、前記ボールバルブ本体は、前記冷媒管路が前記冷媒計の管路に連通することを遮断する、請求項１に記載の冷媒管継手。
【請求項３】
前記第２回転軸は、前記第１回転軸に垂直である、請求項２に記載の冷媒管継手。
【請求項４】
前記バルブアセンブリは、２つの第１シール部材をさらに含み、前記２つの第１シール部材は、前記内部通路に位置決めするように前記ボールバルブ本体を挟持し、前記ボールバルブ本体は、前記２つの第１シール部材に対して回転可能である、請求項２に記載の冷媒管継手。
【請求項５】
角度制限機構をさらに含み、前記角度制限機構は、揺動空間及び凸部を含み、前記揺動空間と前記凸部の一方は前記管本体に設けられ、他方は前記開閉アセンブリに設けられ、前記凸部は前記揺動空間に延伸され、前記開閉アセンブリが前記第２回転軸を軸として回転することに伴って、前記凸部は、前記揺動空間を囲んで構成する壁部に選択的に当接する、請求項２に記載の冷媒管継手。
【請求項６】
前記角度制限機構は、パッド本体をさらに含み、前記凸部がパッド本体に設けられ、前記開閉アセンブリは、連動部材及びハンドルをさらに含み、前記連動部材の一端が前記ボールバルブ本体に嵌め込まれ、前記連動部材の他端が前記パッド本体を穿設して前記ハンドルに接続されることにより、前記ハンドル、前記パッド本体、前記連動部材及び前記ボールバルブ本体は、同回転関係になり、前記揺動空間は前記管本体に設けられ、前記パッド本体は前記管本体と前記ハンドルとの間に介設される、請求項５に記載の冷媒管継手。
【請求項７】
前記管本体に取り外し可能に組み立てられる接続シートをさらに含み、前記回転管の前記連通口が設けられた一端は、前記内部空間に連通するように、前記第１回転軸に沿って前記接続シートを回転可能に穿設する、請求項１〜６のいずれか１項に記載の冷媒管継手。
【請求項８】
前記接続シートには挿着孔が貫設され、前記回転管の前記連通口が設けられる一端は、前記挿着孔を穿設する第１端部と定義され、前記回転管の前記第２継手が設けられる一端は、前記第２継手を介してクイック継手を組み立てるための第２端部と定義され、前記クイック継手は、前記冷媒管路に連通するために用いられ、当接部は、前記第１端部に設けられ、前記挿着孔の開口方向に前記挿着孔の孔縁と相互に当接して干渉するために用いられる、請求項７に記載の冷媒管継手。
【請求項９】
前記当接部と前記接続シートは、隙間空間を形成するように間隔をおいて配置され、係止部材は、前記隙間空間内に延伸されて前記第２継手を挟持し、前記挿着孔の開口方向に、前記係止部材は、前記当接部と前記接続シートとの間に挟持される、請求項８に記載の冷媒管継手。
【考案の詳細な説明】
【技術分野】
【０００１】
本考案は、冷媒管継手に関する。
【背景技術】
【０００２】
冷媒は、空調システムの最も重要な要素の１つであり、冷媒が管路を循環することにより、内部環境の熱を効果的に奪って冷却効果を達成することができる。空調システム、特に車両の冷房が冷却効率に問題があると、まず冷媒量が十分であるか否かを検出してから他の冷却装置を検出する。冷媒の検出、充填過程で冷媒計を組み合わせて使用する必要がある。
【０００３】
しかしながら、車両の冷房システムが位置する場所が狭く、管路の周辺にパーツが多いため、管継手を介して冷媒計を冷媒管路に接続しようとする時、便利で迅速に接続することができず、また、管路を円滑に接続するために周辺の部品を取り外す必要がある場合があり、非常に面倒である。
【考案の概要】
【考案が解決しようとする課題】
【０００４】
本考案の主な目的は、回転管が管本体に対して回転する構造により、効果的に適切な位置に調整して冷媒管路に接続することができる冷媒管継手を提供することである。
【課題を解決するための手段】
【０００５】
上記目的を達成するために、本考案は、管本体及び回転管を含冷媒管継手を提供する。前記管本体は、連通する内部通路及び第１継手を含み、前記第１継手が冷媒計の管路に連通し、前記回転管は、第１回転軸を軸として前記管本体に回転可能に接続され、連通する第２継手及び連通口を含み、前記連通口が前記管本体の内部空間に連通し、前記第２継手が冷媒を通過させるように冷媒管路に連通する。
【図面の簡単な説明】
【０００６】
【図１】本考案の一実施例の使用状態の模式図である。
【図２】本考案の一実施例の斜視図である。
【図３】本考案の一実施例の回転管が管本体に対して回転する模式図である。
【図４】本考案の一実施例の別の視点での斜視図である。
【図５】本考案の一実施例の部分拡大斜視図である。
【図６】本考案の一実施例のボールバルブ本体が連通位置に位置する模式図である。
【図７】本考案の一実施例のボールバルブ本体が遮断位置に位置する模式図である。
【図８】本考案の一実施例の分解図である。
【図９】本考案の一実施例の回転管と接続シートの組み合わせの模式図である。
【考案を実施するための形態】
【０００７】
図１〜図９は本考案の一実施例を示し、本考案の冷媒管継手は、管本体１及び回転管２を含む。
【０００８】
該管本体１は、連通する内部通路１１及び第１継手１２を含み、該第１継手１２が冷媒計８１の管路に連通する。該回転管２は、第１回転軸７１を軸として該管本体１に回転可能に接続され、連通する第２継手２４及び連通口２２を含み、該連通口２２が該管本体１の内部空間に連通し、該第２継手２４が冷媒を通過させるように冷媒管路８２に連通する。
【０００９】
該回転管２は、該管本体１に対して３６０度で回転することができ、様々な角度、位置の該冷媒管路８２の接続口に広く接続することができる。本考案の冷媒管継手により、冷媒が円滑に流れるように、該冷媒計８１の管路が滑らかで曲がったりねじれたりしないのを確保する場合に、該冷媒管路８２の接続口を連通することができる。換言すれば、本考案の冷媒管継手は、様々なブランドの冷媒システムに広く適用でき、且つ多くのパーツがある環境下で、該冷媒管路８２と該冷媒計８１とを効果的で円滑に連通させることができる。
【００１０】
該冷媒管継手は、該管本体１に取り外し可能に組み立てられる接続シート３をさらに含み、該回転管２の該連通口２２が設けられた一端は、該内部空間に連通するように、該第１回転軸７１に沿って該接続シート３を回転可能に穿設する。
【００１１】
該接続シート３には、挿着孔３１が貫設され、該回転管２の該連通口２２が設けられる一端は、該挿着孔３１を穿設する第１端部２１と定義され、該回転管２の該第２継手２４が設けられる一端は、該第２継手２４を介してクイック継手８３を組み立てるための第２端部２３と定義され、該クイック継手８３は、該冷媒管路８２と迅速に連通するために用いられる。そのうち、当接部２５は、該第１端部２１に設けられ、該挿着孔３１の開口方向に該挿着孔３１の孔縁と相互に当接して干渉するために用いられ、該回転管２は、該接続シート３と非常に優れた結合の安定性を有する。
【００１２】
該当接部２５は、優れた構造強度を有して組み立てを簡略化させるために、該挿着孔３１を穿設した後、該第１端部２１の一部が外力によって押圧されることにより一体に形成される。
【００１３】
該当接部２５と該接続シート３は、隙間空間２７を形成するように間隔をおいて配置され、係止部材４２は、該隙間空間２７内に延伸されて該第２継手２４を挟持し、該挿着孔３１の開口方向に、該係止部材４２が該当接部２５と該接続シート３との間に挟持されることにより、該回転管２は、該接続シート３に対して相対変位することがなく回転することができる。
【００１４】
該回転管２は、それぞれ該第１端部２１と該第２端部２３とに接続される屈曲部２６をさらに含み、該第１端部２１と該第２端部２３との間の角度は、様々な角度ニーズを広く満たすために９０度〜１５０度である。螺着スリーブ４１は、該回転管２に摺動可能且つ回転可能に外嵌され、該螺着スリーブ４１は、該クイック継手８３に螺着され、迅速に接続するという目的を達成する。
【００１５】
該螺着スリーブ４１の外部には、操作の確実性の向上に寄与するための滑り止め網目４１１が設けられる。
【００１６】
第２シール部材４４は、該第２継手２４の開口縁部に位置決めし、該第２シール部材４４は、該第２継手２４と該クイック継手８３との２つ部品の間の密着度を効果的に向上させ、冷媒が隙間から漏れないこと確保することができる。
【００１７】
該冷媒管継手はバルブアセンブリ５をさらに含み、該バルブアセンブリ５により冷媒の流れの有無を素早く制御することができる。
【００１８】
該バルブアセンブリ５は、ボールバルブ本体５１及び開閉アセンブリ５２を含み、該ボールバルブ本体５１には、バルブ通路５１１が貫設され、該ボールバルブ本体５１は、該第１回転軸７１に垂直な第２回転軸７２を軸として該内部通路１１に回転可能に位置決めする。該開閉アセンブリ５２は、該ボールバルブ本体５１に接続され、それが連通位置と遮断位置とに回転するように制御され、該ボールバルブ本体５１が該連通位置に位置するとき、該バルブ通路５１１は、該冷媒管路８２を該冷媒計８１の管路に連通させるように該内部空間に連通し、該ボールバルブ本体５１が該遮断位置に位置するとき、該バルブ通路５１１は、該内部空間に連通せず、該ボールバルブ本体５１は、該冷媒管路８２が該冷媒計８１の管路に連通することを遮断する。そのうち、該管本体１、該回転管２及び該ボールバルブ本体５１は、強固で耐用性のある構造を有するために、すべて金属材質である。
【００１９】
好ましくは、該バルブアセンブリ５は、２つの第１シール部材４３をさらに含み、該２つの第１シール部材４３は、該内部通路１１に位置決めするように該ボールバルブ本体５１を挟持し、該ボールバルブ本体５１は、該２つの第１シール部材４３に対して回転可能であり、該２つの第１シール部材４３は、該ボールバルブ本体５１と該内部通路１１との結合の密着度を向上させ、隙間を埋めることができ、該ボールバルブ本体５１が該遮断位置に位置するとき、該バルブ通路５１１が該内部空間に連通しないことを確保する。
【００２０】
該冷媒管継手は、角度制限機構６をさらに含み、該角度制限機構６は、揺動空間６１及び凸部６３を含み、該揺動空間６１と該凸部６３の一方は該管本体１に設けられ、他方は該開閉アセンブリ５２に設けられ、該凸部６３は該揺動空間６１に延伸される。本実施例では、該管本体１に該揺動空間６１が設けられ、該開閉アセンブリ５２に該凸部６３が設けられる。該開閉アセンブリ５２が該第２回転軸７２を軸として回転することに伴って、該凸部６３は、該揺動空間６１を囲んで構成する壁部６２に選択的に当接することができ、それにより、該ボールバルブ本体５１の回転角度を効果的に制御することができる。
【００２１】
好ましくは、該角度制限機構６は、パッド本体６４をさらに含み、該凸部６３は、パッド本体６４に設けられ、該開閉アセンブリ５２は、連動部材５２１及びハンドル５２２をさらに含み、該連動部材５２１の一端が該ボールバルブ本体５１に嵌め込まれ、該連動部材５２１の他端が該パッド本体６４を穿設して該ハンドル５２２に接続されることにより、該ハンドル５２２、該パッド本体６４、該連動部材５２１及び該ボールバルブ本体５１は、同回転関係になる。そのうち、該揺動空間６１は該管本体１に設けられ、該パッド本体６４は、該管本体１と該ハンドル５２２との間に介設される。該凸部６３を該パッド本体６４に設けることにより破損後の交換コストを低減させることができる。
【００２２】
本実施例では、該連動部材５２１は金属材質であり、且つ該パッド本体６４も金属材質であり、より強固で耐用性がある。優れた手触りを提供するために、該ハンドル５２２がプラスチック材質であることは好ましい。
【符号の説明】
【００２３】
１    管本体
１１    内部通路
１２    第１継手
２    回転管
２１    第１端部
２２    連通口
２３    第２端部
２４    第２継手
２５    当接部
２６    屈曲部
２７    隙間空間
３    接続シート
３１    挿着孔
４１    螺着スリーブ
４１１    滑り止め網目
４２    係止部材
４３    第１シール部材
４４    第２シール部材
５    バルブアセンブリ
５１    ボールバルブ本体
５１１    バルブ通路
５２    開閉アセンブリ
５２１    連動部材
５２２    ハンドル
６    角度制限機構
６１    揺動空間
６２    壁部
６３    凸部
６４    パッド本体
７１    第１回転軸
７２    第２回転軸
８１    冷媒計
８２    冷媒管路
８３    クイック継手
【図１】
0003229467.tif 000003
【図２】
0003229467.tif 000004
【図３】
0003229467.tif 000005
【図４】
0003229467.tif 000006
【図５】
0003229467.tif 000007
【図６】
0003229467.tif 000008
【図７】
0003229467.tif 000009
【図８】
0003229467.tif 000010
【図９】
0003229467.tif 000011